(57)【要約】【課題】任意区間の複数回のリピート再生を簡単に行えるようにした映像記録再生装置を提供する。【解決手段】リモコン９の区間キー１５により複数のリピート区間を指定した後、各区間の映像に付与する名前を文字入力キー１６により入力し、この名前をメモリ５またはハードディスク７に登録する。リピート再生時には、テレビモニタ１２の画面において、登録された複数の名前の中から再生したい区間に対応する名前をリモコン９で選択し、選択されたそれぞれの名前に対応するリピート区間の映像を所定の順序でリピート再生する。こうすることで、リピート再生を繰り返し行う場合でも、名前を選択するだけで複数のリピート区間の映像をリピート再生することができる。【選択図】　　図１
2004048611.tif 000002
【特許請求の範囲】
【請求項１】
外部から入力される映像信号をデジタル化してハードディスクに記録するとともに、記録した映像信号をハードディスクから読み出して再生する装置であって、映像をリピートして再生する区間を指定する区間キーを備え、前記区間キーにより指定された区間の映像をリピートして再生する映像記録再生装置において、
前記区間キーにより指定された複数のリピート区間の映像のそれぞれに付与する名前を入力する入力手段と、
前記入力手段により入力された名前を登録する登録手段と、
前記登録手段により１つのリピート区間についての名前が登録された後、次のリピート区間の指定と当該区間に対して入力された名前の登録とを所定回数反覆して実行する制御手段と、
リピート再生時に、前記登録手段に登録されている複数の名前の中から、再生したい区間に対応する名前を順次選択する選択手段と、
前記選択手段で選択されたそれぞれの名前に対応するリピート区間の映像を所定の順序でリピートして再生する再生手段と、
を備えたことを特徴とする映像記録再生装置。
【請求項２】
外部から入力される映像信号をデジタル化して記録するとともに、記録した映像信号を読み出して再生する装置であって、映像をリピートして再生する区間を指定する指定手段を備え、前記指定手段により指定された区間の映像をリピートして再生する映像記録再生装置において、
前記指定手段により指定された複数のリピート区間の映像のそれぞれに付与する名前の入力を受け付けるとともに、入力された名前を登録し、
１つのリピート区間についての名前が登録された後、次のリピート区間の指定と当該区間に対して入力された名前の登録とを所定回数反覆し、
リピート再生時に、登録されている複数の名前の中から順次選択されたそれぞれの名前に対応するリピート区間の映像を所定の順序でリピートして再生することを特徴とする映像記録再生装置。
【請求項３】
請求項２に記載の映像記録再生装置において、
指定されたリピート区間の映像に対して、入力された名前を付与するかデフォルトの名前を付与するかを選択できるようにし、デフォルトの名前の付与が選択された場合は、当該デフォルトの名前を登録することを特徴とする映像記録再生装置。
【発明の詳細な説明】
【０００１】
【発明の属する技術分野】
本発明は、ハードディスクレコーダのような映像記録再生装置に関するものである。
【０００２】
【従来の技術】
テレビ番組などを録画して再生する映像記録再生装置としては、従来ＶＴＲ（ビデオテープレコーダ）が主流であったが、最近では大容量のハードディスクを内蔵したハードディスクレコーダが登場している。ハードディスクレコーダは、映像信号をデジタル化してハードディスクに記録するとともに、記録した映像信号をハードディスクから読み出して再生する装置である。ＶＴＲは、アナログ信号をテープに記録して再生するものであるため、画質が劣化したり編集作業が非常にやりにくいという欠点があるが、ハードディスクレコーダは、映像信号をデジタル化して記録するため、画質の劣化がなく編集作業も自由に行えるという利点がある。
【０００３】
ところで、一般にハードディスクレコーダにおいては、リピート区間を指定して、その指定された区間の映像をリピートして再生する機能が備わっている。すなわち、録画した映像を再生した際に、繰り返して見たい映像の区間の始点および終点をリモコン操作で指定することで、その指定された区間の映像をリピートして再生することができる。このようなリピート再生機能を備えた記録再生装置は、たとえば特開平４−２７１０６０号公報、特開平１１−９６７３６号公報に記載されている。
【０００４】
また、ハードディスクレコーダにおいては、上記のようなリピート再生のほかに、見たい映像を迅速にサーチできるように、番組にタイトルを付けたり、タイトル中の各チャプター（章）に名前を付けたりする機能が備わっている。特開平１１−２９８８６０号公報や特開２００１−７６４７４号公報には、このようなサーチ機能を備えた記録再生装置が記載されている。
【０００５】
【発明が解決しようとする課題】
従来のリピート再生機能においては、リピート再生が１回行われるだけであり、リピート区間の映像を複数回繰り返して再生するためには、あらためてリピート区間の始点および終点をリモコン操作で指定する必要があった。このため、リピート区間の映像を何回も繰り返して見たい場合は、操作に手間がかかるという欠点があった。また、上述したサーチ機能においては、タイトル等を選択することで同じ映像を繰り返して見ることができるが、リピートされる映像はタイトルやチャプター単位であるため、任意の区間をリピート再生することはできず、これを行うためには、上記特開２００１−７６４７４号公報にあるような複雑な時間設定を行わねばならなかった。
【０００６】
本発明は、上記問題点を解決するものであって、その課題とするところは、任意区間の複数回のリピート再生を簡単に行えるようにした映像記録再生装置を提供することにある。
【０００７】
【課題を解決するための手段】
本発明は、指定手段により指定された複数のリピート区間の映像のそれぞれに付与する名前の入力を受け付けるとともに、入力された名前を登録し、１つのリピート区間についての名前が登録された後、次のリピート区間の指定と当該区間に対して入力された名前の登録とを所定回数反覆し、リピート再生時に、登録されている複数の名前の中から順次選択されたそれぞれの名前に対応するリピート区間の映像を所定の順序でリピートして再生するようにしたものである。
【０００８】
より具体的には、本発明に係る映像記録再生装置は、区間キーにより指定された複数のリピート区間の映像のそれぞれに付与する名前を入力する入力手段と、この入力手段により入力された名前を登録する登録手段と、この登録手段により１つのリピート区間についての名前が登録された後、次のリピート区間の指定と当該区間に対して入力された名前の登録とを所定回数反覆して実行する制御手段と、リピート再生時に登録手段に登録されている複数の名前の中から再生したい区間に対応する名前を順次選択する選択手段と、この選択手段で選択されたそれぞれの名前に対応するリピート区間の映像を所定の順序でリピートして再生する再生手段とを備える。
【０００９】
このようにすることで、リピート区間の指定時に当該区間の映像に対して名前を付与しておけば、リピート再生時にその名前を選択することでリピート区間の映像が再生されるので、リピート再生を何回も行う場合でも、名前を選択するだけで所望の映像を繰り返して見ることができる。このため、従来のようにリピート区間を指定しなおす必要がなくなり、ユーザの手間を省くことができる。また、１つのリピート区間についての名前の登録後、次のリピート区間の指定と名前の登録とを所定回数反覆することで、複数のリピート区間の指定と名前の登録とを一括して連続的に行うことができるとともに、リピート再生時には、登録されている名前のうち任意のものを複数選択して、それらに対応する各区間の映像を順次リピート再生することができる。さらに、リピート区間は自由に指定できるので、名前を付与してもタイトルやチャプターに拘束されずに、任意の区間をリピート再生することが可能となる。
【００１０】
本発明においては、指定されたリピート区間の映像に対して、入力された名前を付与するかデフォルトの名前を付与するかを選択できるようにし、デフォルトの名前の付与が選択された場合は、当該デフォルトの名前を登録するようにしてもよい。これによると、あらかじめ用意されている名前を利用できるため、名前の入力を省略することができ、一層手間を省くことができる。
【００１１】
【発明の実施の形態】
図１は、本発明に係る映像記録再生装置をハードディスクレコーダに適用した場合の実施形態を示すブロック図である。図において、破線で囲んだブロックがハードディスクレコーダ１００である。１は外部より入力される映像信号（たとえばテレビ信号）から所定チャンネルの信号を取り出すチューナ、２はチューナ１で取り出された映像信号を処理する信号処理部、３はＣＰＵ４とメモリ５とから構成される制御部、６はハードディスク７に対して情報の読出しや書込みを行うハードディスク装置（ＨＤＤ）である。８はリモコン９からのコントロール信号を受信するリモコン受信部、１０はハードディスクレコーダ１００の本体に備えられた操作部、１１は液晶ディスプレイやＬＥＤランプ等を備えた表示部、１２はハードディスクレコーダ１００で再生した映像を表示する表示手段としてのテレビモニタである。
【００１２】
１３〜１６はリモコン９に備わるキーであって、１３は再生動作を行うための再生キー、１４はリピート動作を行うためのリピートキー、１５はリピート区間を指定するための区間キー（Ａ−Ｂキー）、１６はリピート区間の映像に付与する名前を入力するための文字入力キーである。この文字入力キー１６は、タイトル名やチャプター名を入力する際にも用いられる。なお、リモコン９にはこのほかにも各種のキーを備えているが、図１では図示を省略してある。以上の構成において、信号処理部２は本発明における再生手段を構成し、制御部３は本発明における制御手段を構成し、制御部３およびハードディスク装置６は本発明における登録手段を構成し、リモコン９は本発明における入力手段、選択手段および指定手段を構成する。
【００１３】
上記のようなハードディスクレコーダ１００において、録画を行う場合は、リモコン９の録画キー（図示省略）を操作すると、リモコン受信部８が録画指令の信号を受信して制御部３に送り、制御部３は録画動作のための制御手順を実行する。これにより、外部から入力された映像信号は信号処理部２においてデジタル化され、制御部３およびハードディスク装置６によってハードディスク７に記録される。また、録画した映像を再生する場合は、ハードディスク７の記録内容の一覧をテレビモニタ１２の画面に表示させてタイトルを選択した後、リモコン９の再生ボタン１３を操作すると、リモコン受信部８が再生指令の信号を受信して制御部３に送り、制御部３は再生動作のための制御手順を実行する。これにより、ハードディスク７に記録された映像信号が制御部３により読み出され、信号処理部２においてアナログ信号に変換された後、テレビモニタ１２に再生映像が表示される。以上の基本動作は、従来のハードディスクレコーダと変わりはない。
【００１４】
次に、上記ハードディスクレコーダ１００におけるリピート再生機能について説明する。図２は、リピート区間の指定と名前の登録とを行う場合の手順を示したフローチャートであって、制御部３のＣＰＵ４により実行される手順を示している。最初、リモコン９の再生キー１３が操作されると、通常の再生を開始する（ステップＳ１）。そして、リピートしたい映像が現れた時点でリモコン９の区間キー（Ａ−Ｂキー）１５が押されると（ステップＳ２）、図４に示すリピート区間▲１▼の始点Ａが決定される（ステップＳ３）。その後、リピートしたい映像が終了した時点でリモコン９の区間キー１５が再び押されると（ステップＳ４）、図４に示すリピート区間▲１▼の終点Ｂが決定される（ステップＳ５）。こうして、始点Ａと終点Ｂとが確定することにより、リピート区間▲１▼が指定される。
【００１５】
リピート区間▲１▼が指定されると、次に、リモコン９のリピートキー１４が押されたかどうかを判定する（ステップＳ６）。一定時間内にリピートキー１４が押されなかった場合は（ステップＳ６：ＮＯ）、ステップＳ１０へ移行し、リピートキー１４が押された場合は（ステップＳ６：ＹＥＳ）、続いて、リピート区間の映像の名前が入力されたか否かを判定する（ステップＳ７）。この名前の入力は、リモコン９の文字入力キー１６により行われる。なお、入力する名前としては、アルファベット、カタカナ、ひらがな等、何であってもよい。名前が入力された場合は（ステップＳ７：ＹＥＳ）、その入力された名前をメモリ５またはハードディスク７へ記録して登録する（ステップＳ８）。名前が入力されなかった場合は（ステップＳ７：ＮＯ）、あらかじめメモリ５に設定されているデフォルトの名前を登録する（ステップＳ９）。このデフォルトの名前としては、たとえばＡＢ１，ＡＢ２，ＡＢ３，…ＡＢｎのような名前が付与される。
【００１６】
こうして、リピート区間▲１▼についての名前が登録された後、次のリピート区間の指定があるか否かを判定し（ステップＳ１０）、指定がある場合は（ステップＳ１０：ＹＥＳ）、前回のリピート区間▲１▼の終点Ｂから通常の再生を行う（ステップＳ１１）。そして、ステップＳ２に戻り、リピートしたい映像が現れた時点でリモコン９の区間キー（Ａ−Ｂキー）１５が押されると（ステップＳ２）、図４に示すリピート区間▲２▼の始点Ａが決定される（ステップＳ３）。その後、リピートしたい映像が終了した時点でリモコン９の区間キー１５が再び押されると（ステップＳ４）、図４に示すリピート区間▲２▼の終点Ｂが決定される（ステップＳ５）。こうして、始点Ａと終点Ｂとが確定することにより、リピート区間▲２▼が指定される。
【００１７】
リピート区間▲２▼が指定されると、前記の場合と同様に、リモコン９のリピートキー１４が押されたかどうかを判定し（ステップＳ６）、リピートキー１４が押された場合は（ステップＳ６：ＹＥＳ）、リピート区間の映像の名前が入力されたか否かを判定する（ステップＳ７）。そして、名前が入力されると（ステップＳ７：ＹＥＳ）、入力された名前を登録し（ステップＳ８）、名前が入力されなければ（ステップＳ７：ＮＯ）、デフォルトの名前を登録する（ステップＳ９）。
【００１８】
その後、次のリピート区間の指定があるか否かを判定し（ステップＳ１０）、指定がある場合は（ステップＳ１０：ＹＥＳ）、上述したステップＳ１１、ステップＳ２〜Ｓ９を経て、図４に示すリピート区間▲３▼が指定されるとともに、当該区間についての名前が登録される。
【００１９】
ステップＳ１０において、次のリピート区間の指定がなくなると（ステップＳ１０：ＮＯ）、次に、登録した名前のメニューを表示するか否かを判定し（ステップＳ１２）、表示する場合は（ステップＳ１２：ＹＥＳ）、図３のステップＳ３０へ移行し、表示しない場合は（ステップＳ１２：ＮＯ）、指定されたリピート区間▲１▼、▲２▼、▲３▼の映像を１回だけリピート再生して終了する（ステップＳ１３）。
【００２０】
図３は、名前を登録したリピート区間の映像を再生する場合のフローチャートであって、制御部３のＣＰＵ４により実行される手順を示している。リモコン９のリピートキー１４が押されると（ステップＳ２１）、テレビモニタ１２の画面にリピートメニューが表示される（ステップＳ２２）。ここでは、リピートメニューとして、「Ｔｉｔｌｅ」（タイトル）、「Ｃｈａｐｔｅｒ」（チャプター）、「Ｓａｖｅｄ　Ａ−Ｂ」（名前登録区間）の３種類が表示される。ユーザは、テレビモニタ１２の画面に表示されたリピートメニューを見て、リモコン９の選択キー（図示省略）を操作して所望のメニューを選択する。
【００２１】
リピートメニューから所望のメニューが選択されると（ステップＳ２３）、選択されたメニューがＳａｖｅｄ　Ａ−Ｂか否かを判定する（ステップＳ２４）。選択されたメニューが「Ｓａｖｅｄ　Ａ−Ｂ」でなければ（ステップＳ２４：ＮＯ）、「Ｃｈａｐｔｅｒ」か否かを判定し（ステップＳ２５）、「Ｃｈａｐｔｅｒ」であれば（ステップＳ２５：ＹＥＳ）、チャプターのリピート再生に移行する（ステップＳ２６）。また、「Ｃｈａｐｔｅｒ」でなければ（ステップＳ２５：ＮＯ）、「Ｔｉｔｌｅ」か否かを判定し（ステップＳ２７）、「Ｔｉｔｌｅ」であれば（ステップＳ２７：ＹＥＳ）、タイトルのリピート再生に移行する（ステップＳ２８）。また、「Ｔｉｔｌｅ」でもない場合は（ステップＳ２７：ＮＯ）、リピート再生を行わず通常の再生へ移行する（ステップＳ２９）。
【００２２】
ステップＳ２４において選択されたメニューが「Ｓａｖｅｄ　Ａ−Ｂ」である場合は（ステップＳ２４：ＹＥＳ）、テレビモニタ１２の画面に図２のステップＳ８、Ｓ９で登録された複数の名前の一覧がメニューとして表示される（ステップＳ３０）。ここでは、「Ｎａｍｅ　１」〜「Ｎａｍｅ　ｎ」のｎ個の名前が四角のチェック枠とともに表示される。ユーザはこのメニューを見て、表示された名前の中から、再生したい区間の名前をリモコン９の操作により順次選択する（ステップＳ３１）。ここでは、チェック枠にＸマークの付いた「Ｎａｍｅ　３」「Ｎａｍｅ　ｋ」「Ｎａｍｅ　ｎ」が選択されている。
【００２３】
上記のようにして名前を選択した後、リピート再生を行うか否かを判定する（ステップＳ３２）。リピート再生を行うには、画面に表示されている「ＰＬＡＹ」を選択し、リピート再生を行わない場合は「ＣＡＮＣＥＬ」を選択する。リピート再生のために「ＰＬＡＹ」が選択されると（ステップＳ３２：ＹＥＳ）、ステップＳ３１において選択した名前の若い順から、それぞれに対応する区間の映像が連続してリピート再生される（ステップＳ３３）。すなわち、「Ｎａｍｅ　３」→「Ｎａｍｅ　ｋ」→「Ｎａｍｅ　ｎ」→「Ｎａｍｅ　３」→「Ｎａｍｅ　ｋ」…の順で、各区間の映像が順次リピート再生される。なお、リピート再生する順序は上記のような若い順に限らず、名前を選択した順序であってもよい。また、ここでは名前を選択した場合にＸマークを付けたが、これに代えて１，２，３，…のような数字で表示してもよく、この数字の順序に従ってリピート再生が行われるようにしてもよい。
【００２４】
こうして、指定したリピート区間の映像を繰り返し見たい場合には、登録されている名前のメニューの中から所望の名前を選択するだけで、その選択された名前に対応する区間の映像がリピート再生されるので、リピート区間を再指定しなくても、リピート区間の映像を簡単な操作によって何回も繰り返して見ることができる。
【００２５】
特に、本発明では、１つのリピート区間についての名前の登録後、次のリピート区間の指定と名前の登録とを所定回数反覆するので、複数のリピート区間の指定と名前の登録とを一括して連続的に行うことができ、操作性が向上する。また、リピート再生時には、登録されている名前のうち任意のものを複数選択して、それらに対応する各区間の映像を順次リピート再生することができる。
【００２６】
また、リピート区間はリモコン９の区間キー１５により自由に指定できるので、リピート区間の映像に名前を付与しても、タイトルやチャプターとは無関係に、任意の区間をリピート再生することが可能となる。図５はこれを説明する図であって、ここではチャプターとリピート区間との関係を示しているが、タイトルとリピート区間との関係についても同様である。
【００２７】
本発明では、（ａ）のようにチャプター単位でリピート区間を再生できるのは勿論、（ｂ）のように複数のチャプターを連続してリピート再生することができる。また、（ｃ）のように、チャプターの一部を区間指定してリピート再生することも可能である。また、（ｄ）のように、異なるチャプターにまたがってリピート区間を指定しても、当該区間に付与した名前を選択することで、指定された区間の映像をリピート再生することができる。さらに、（ｅ）のように、たとえば（ｂ）と（ｃ）と（ｄ）を併用した区間指定の場合でも、それぞれのリピート区間の映像に付けられた名前を選択することで、指定された区間の映像をリピート再生することができる。
【００２８】
また、図２の手順においては、指定されたリピート区間の映像に対して、入力された名前を付与するかデフォルトの名前を付与するかを選択可能とし（ステップＳ７）、デフォルトの名前の付与が選択された場合は、当該デフォルトの名前を登録するようにしているので（ステップＳ９）、既定の名前を利用することで名前入力を省略することができ、操作がより簡略化される。
【００２９】
以上の実施形態においては、リピート区間の映像に対して名前を付与するにあたり、リモコン９の文字入力キー１６を用いて名前を入力する場合を例に挙げたが、文字入力キーはハードディスクレコーダ１００の操作部１０に設けられていてもよい。同様に、文字入力キー１６以外のキー１３〜１５も、ハードディスクレコーダ１００の操作部１０に設けられていてもよい。また、名前入力のための入力手段としては、リモコン９やハードディスクレコーダ１００に備わっているものに限らず、これらとは別に用意されたオプション品の文字入力装置を利用することも可能である。
【００３０】
また、上記実施形態では、登録した名前のメニューをテレビモニタ１２に表示する例を示したが、これに代えてハードディスクレコーダ１００の表示部１１に表示してもよい。あるいは、リモコン９が表示部（図示省略）を備えている場合は、その表示部に表示させてもよい。
【００３１】
さらに、上記実施形態では、映像記録再生装置としてハードディスクレコーダを例に挙げたが、本発明はこれに限らず、ＤＶＤ（Ｄｉｇｉｔａｌ　Ｖｅｒｓａｔｉｌｅ　Ｄｉｓｋ）プレーヤなどにも適用することができる。
【００３２】
【発明の効果】
本発明によれば、リピート区間に対して名前を付与することにより、リピート再生を繰り返し行う場合でも、名前を選択するだけで所望の映像をリピート再生できるので、操作の手間を大幅に省くことができる。また、複数のリピート区間の指定と名前の登録とを一括して連続的に行えるとともに、登録した名前を複数選択して各区間の映像を順次リピート再生することができる。さらに、リピート区間を自由に指定できることから、名前を付与してもタイトルやチャプターに拘束されずに、任意の区間をリピート再生することが可能となる。
【図面の簡単な説明】
【図１】本発明の実施形態を示すブロック図である。
【図２】リピート区間の指定と名前の登録とを行う場合の手順を示したフローチャートである。
【図３】名前を登録したリピート区間の映像を再生する場合のフローチャートである。
【図４】リピート区間を説明する図である。
【図５】チャプターとリピート区間との関係を説明する図である。
【符号の説明】
２　　信号処理部
３　　制御部
４　　ＣＰＵ
５　　メモリ
６　　ハードディスク装置
７　　ハードディスク
９　　リモコン
１０　操作部
１１　表示部
１２　テレビモニタ
１３　再生キー
１４　リピートキー
１５　区間キー
１６　文字入力キー
１００　ハードディスクレコーダ
Ａ　　始点
Ｂ　　終点
【図１】
2004048611.tif 000003
【図２】
2004048611.tif 000004
【図３】
2004048611.tif 000005
【図４】
2004048611.tif 000006
【図５】
2004048611.tif 000007